(57)【要約】【課題】色ムラの問題が解決された調色ＬＥＤ照明装置を提供する。【解決手段】  基板と、基板上の同一平面に実装された多数個のＬＥＤチップ２１〜２３により構成された発光面と、調色コントローラとを備える調色ＬＥＤ照明装置１０であって、多数個のＬＥＤチップ２１〜２３が、複数個の赤色ＬＥＤチップ２１、複数個の緑色ＬＥＤチップ２２および複数個の青色ＬＥＤチップ２３を含んで構成され、発光面の外縁に沿って配置されたＬＥＤチップが、複数個の赤色ＬＥＤチップ２１、複数個の緑色ＬＥＤチップ２２および複数個の青色ＬＥＤチップ２３を含み、発光面の外縁に沿って配置された複数個の赤色ＬＥＤチップ２１が、隣接配置された複数個の赤色ＬＥＤチップ２１を含まないこと、発光面の外縁に沿って配置された複数個の緑色ＬＥＤチップ２２が、隣接配置された複数個の緑色ＬＥＤチップ２２を含まない調色ＬＥＤ照明装置。【選択図】図２
2019102396.tif 000002
【特許請求の範囲】
【請求項１】
基板と、基板上の同一平面に実装された多数個のＬＥＤチップにより構成された発光面と、調色コントローラとを備える調色ＬＥＤ照明装置であって、
前記多数個のＬＥＤチップが、複数個の赤色ＬＥＤチップ、複数個の緑色ＬＥＤチップおよび複数個の青色ＬＥＤチップを含んで構成され、
前記発光面の外縁に沿って配置されたＬＥＤチップが、複数個の赤色ＬＥＤチップ、複数個の緑色ＬＥＤチップおよび複数個の青色ＬＥＤチップを含み、
前記発光面の外縁に沿って配置された複数個の赤色ＬＥＤチップが、隣接配置された複数個の赤色ＬＥＤチップを含まないこと、
前記発光面の外縁に沿って配置された複数個の緑色ＬＥＤチップが、隣接配置された複数個の緑色ＬＥＤチップを含まないことを特徴とする調色ＬＥＤ照明装置。
【請求項２】
前記発光面の外縁に沿って配置されたＬＥＤチップの内側にある赤色ＬＥＤチップが、前記発光面の外縁に沿って配置された赤色ＬＥＤチップと隣接配置されていないこと、
前記発光面の外縁に沿って配置されたＬＥＤチップの内側にある緑色ＬＥＤチップが、前記発光面の外縁に沿って配置された緑色ＬＥＤチップと隣接配置されていないことを特徴とする請求項１に記載の調色ＬＥＤ照明装置。
【請求項３】
前記多数個のＬＥＤチップが、前記発光面の中心に対し点対称になるように配置されていることを特徴とする請求項２に記載の調色ＬＥＤ照明装置。
【請求項４】
前記多数個のＬＥＤチップが、前記発光面の中心線に対し線対称になるように配置されていることを特徴とする請求項２に記載の調色ＬＥＤ照明装置。
【請求項５】
前記多数個のＬＥＤチップが、複数個の赤色ＬＥＤチップ、複数個の緑色ＬＥＤチップ、複数個の青色ＬＥＤチップおよび複数個の白色ＬＥＤチップのみから構成されることを特徴とする請求項３または４に記載の調色ＬＥＤ照明装置。
【請求項６】
前記発光面に多数個のＬＥＤチップの全部において、隣接するＬＥＤチップの色が異なる配置関係にあることを特徴とする請求項１ないし５のいずれかに記載の調色ＬＥＤ照明装置。
【請求項７】
前記発光面が、実質的に円形であることを特徴とする請求項１ないし６のいずれかに記載の調色ＬＥＤ照明装置。
【請求項８】
請求項１ないし７のいずれかに記載の調色ＬＥＤ照明装置と、
前記調色ＬＥＤ照明装置を収納する光源筐体と、
前記光源筐体からの光を集光して外部に出射する集光レンズと、
前記光源筐体と前記集光レンズとの相対距離を可変とする位置調整機構とを備えたことを特徴とするスポットライト。
【発明の詳細な説明】
【技術分野】
【０００１】
本発明は、例えば舞台などにおいて使用される調色ＬＥＤ照明装置に関する。
【背景技術】
【０００２】
劇場などの舞台照明として、照明光の色や明るさを調光可能な照明装置が用いられている。従来はカラーフィルターを切り替えることにより照明光の色を変えていたが（例えば、特許文献１参照）、近年はソフトウェアによる制御により照明光の色や明るさを調光可能なＬＥＤを用いた照明装置が現れている（例えば、特許文献２参照）。
【先行技術文献】
【特許文献】
【０００３】
【特許文献１】特開平６−１２４７８７号公報
【特許文献２】特開２０１１−６０７４０号公報
【発明の概要】
【発明が解決しようとする課題】
【０００４】
多色ＬＥＤ光源でスポット照明を行うために充分な光量を得るためには、ＲＧＢ色のＬＥＤチップをマトリクス状に配置し、面状光源を構成することが必要である。しかしながら、スポットライトのように凸レンズを取り付けた照明装置においては、スポット照明の外周部の色（すなわち、面状光源の外周に配置されたＬＥＤチップの色）が強調されるなどの色ムラが発生するという問題があった。
【０００５】
そこで本発明は、上記課題を解決することのできる調色ＬＥＤ照明装置を提供することを目的とする。
【課題を解決するための手段】
【０００６】
本発明の調色ＬＥＤ照明装置は、基板と、基板上の同一平面に実装された多数個のＬＥＤチップにより構成された発光面と、調色コントローラとを備える調色ＬＥＤ照明装置であって、前記多数個のＬＥＤチップが、複数個の赤色ＬＥＤチップ、複数個の緑色ＬＥＤチップおよび複数個の青色ＬＥＤチップを含んで構成され、前記発光面の外縁に沿って配置されたＬＥＤチップが、複数個の赤色ＬＥＤチップ、複数個の緑色ＬＥＤチップおよび複数個の青色ＬＥＤチップを含み、前記発光面の外縁に沿って配置された複数個の赤色ＬＥＤチップが、隣接配置された複数個の赤色ＬＥＤチップを含まないこと、前記発光面の外縁に沿って配置された複数個の緑色ＬＥＤチップが、隣接配置された複数個の緑色ＬＥＤチップを含まないことを特徴とする。
【０００７】
上記調色ＬＥＤ照明装置において、前記発光面の外縁に沿って配置されたＬＥＤチップの内側にある赤色ＬＥＤチップが、前記発光面の外縁に沿って配置された赤色ＬＥＤチップと隣接配置されていないこと、前記発光面の外縁に沿って配置されたＬＥＤチップの内側にある緑色ＬＥＤチップが、前記発光面の外縁に沿って配置された緑色ＬＥＤチップと隣接配置されていないことを特徴としてもよい。
【０００８】
上記調色ＬＥＤ照明装置において、前記多数個のＬＥＤチップが、前記発光面の中心に対し点対称になるように配置されていることを特徴としてもよい。
上記調色ＬＥＤ照明装置において、前記多数個のＬＥＤチップが、前記発光面の中心線に対し線対称になるように配置されていることを特徴としてもよい。
【０００９】
上記調色ＬＥＤ照明装置において、前記多数個のＬＥＤチップが、複数個の赤色ＬＥＤチップ、複数個の緑色ＬＥＤチップ、複数個の青色ＬＥＤチップおよび複数個の白色ＬＥＤチップのみから構成されることを特徴としてもよい。
上記調色ＬＥＤ照明装置において、前記発光面に多数個のＬＥＤチップの全部において、隣接するＬＥＤチップの色が異なる配置関係にあることを特徴としてもよい。
上記調色ＬＥＤ照明装置において、前記発光面が、実質的に円形であることを特徴としてもよい。
【００１０】
本発明のスポットライトは、上記に記載の調色ＬＥＤ照明装置と、前記調色ＬＥＤ照明装置を収納する光源筐体と、前記光源筐体からの光を集光して外部に出射する集光レンズと、前記光源筐体と前記集光レンズとの相対距離を可変とする位置調整機構とを備えたことを特徴とする。
【発明の効果】
【００１１】
本発明によれば、色ムラの問題が解決された調色ＬＥＤ照明装置を提供することができる。
【図面の簡単な説明】
【００１２】
【図１】比較例１に係る調色ＬＥＤ照明装置の構成図である。
【図２】第１実施形態に係る調色ＬＥＤ照明装置の構成図である。
【図３】第１実施形態に係る調色ＬＥＤ照明装置の点灯写真と色座標を示す図である。
【図４】第１実施形態に係る調色ＬＥＤ照明装置の変形例である。
【図５】第１実施形態に係るスポットライト照明装置の構成図である。
【図６】比較例２に係る調色ＬＥＤ照明装置の構成図である。
【図７】第２実施形態に係る調色ＬＥＤ照明装置の構成図である。
【図８】第３実施形態に係る調色ＬＥＤ照明装置の構成図である。
【図９】第４実施形態に係る調色ＬＥＤ照明装置の構成図である。
【図１０】第５実施形態に係る調色ＬＥＤ照明装置の構成図である。
【発明を実施するための形態】
【００１３】
以下、図面に基づいて、本発明の実施形態を説明する。
［比較例１］
図１は、比較例１に係る調色ＬＥＤ照明装置１００の構成図である。
比較例１に係る調色ＬＥＤ照明装置１００は、基板１０１と、絶縁層１０２と、発光領域１０３と、配線部１０４と、アノード電極接続部１０５と、カソード電極接続部１０６と、ダム材１０７と、ＬＥＤチップ１１１〜１１３とを備えている。
【００１４】
基板１０１は、熱伝導性および電気特性に優れる材料であり、例えば、銅板またはアルミ板により構成される。基板１０１の表面には、絶縁層１０２が設けられている。絶縁層１０２は、樹脂（例えばガラスエポキシ樹脂、ポリイミド樹脂）などにより構成されている。絶縁層１０２の上面には、発光領域１０３を囲む配線部１０４と、配線部１０４の少なくとも一部を覆うダム材１０７とが形成されている。配線部１０４の表面には、ソルダーレジストが形成されており、このソルダーレジストの上にダム材１０７が形成される。
【００１５】
発光領域１０３には、３０個の赤色ＬＥＤチップ１１１と、３０個の緑色ＬＥＤチップ１１２と、３０個の青色ＬＥＤチップ１１３とがマトリクス状に配置されており、面状光源を構成している。赤色ＬＥＤチップ１１１は、ワイヤで直列接続された１０個の赤色ＬＥＤチップからなる赤色単位モジュールを３つ備え、各赤色単位モジュールは、配線部１０４で並列に接続されている。緑色ＬＥＤチップ１１２は、ワイヤで直列接続された１０個の緑色ＬＥＤチップからなる緑色単位モジュールを３つ備え、各緑色単位モジュールは、配線部１０４で並列に接続されている。青色ＬＥＤチップ１１３は、ワイヤで直列接続された１０個の青色ＬＥＤチップからなる青色単位モジュールを３つ備え、各青色単位モジュールは、配線部１０４で並列に接続されている。
【００１６】
発光領域１０３に配置された９０個のＬＥＤチップ１１１〜１１３は、５重の同心円上に略等間隔に配置することで、発光面の色ムラの問題を解消しようとしている。しかしながら、比較例１では、同色のＬＥＤチップが１０個連続する基本構成を備えることから色の配合が均一でなく色ムラの問題があり、特にレンズで絞ってスポット照明を行う時に外周部で色ムラが目立つという問題がある。換言すれば、スポット照明においては明暗の境界部の色ムラが目立つところ、明暗の境界部の色ムラを解決する必要があった。
【００１７】
［第１実施形態］
図２は、第１実施形態に係る調色ＬＥＤ照明装置１０の構成図である。
第１実施形態に係る調色ＬＥＤ照明装置１０は、基板１１と、絶縁層１２と、発光領域１３と、配線部１４と、アノード電極接続部１５と、カソード電極接続部１６と、微細配線部１７と、ダム材１８と、ＬＥＤチップ２１〜２３とを備えている。
【００１８】
基板１１は、熱伝導性および電気特性に優れる材料からなる板であり、例えば、銅板またはアルミ板により構成される。基板１１は、水冷構造（例えば、複数の微小開口を持つ薄銅板を積層し、上下を銅板で密閉した液室内で毛細管現象による環流が生じるヒートパイプを有するもの、或いは、水冷構造を有する放熱部材を積層したものにより構成してもよい。
基板１１の表面には、絶縁層１２が設けられている。絶縁層１２は、樹脂（例えばガラスエポキシ樹脂、ポリイミド樹脂）などにより構成されている。絶縁層１２の上面には、発光領域１３を囲む配線部１４と、発光領域１３内に形成された微細配線部１７と、配線部１４の少なくとも一部を覆うダム材１８とが形成されている。配線部１４の表面には、ソルダーレジストが形成されており、このソルダーレジストの上にダム材１８が形成される。ソルダーレジストは、反射材としての機能も有する白色絶縁層により構成することが好ましく、無機材からなる白色無機絶縁層により構成することがより好ましい。
第１実施形態で発光領域１３を八角形に構成したのは、従来のスポットライトのように円形に近い発光面（すなわち、実質的に円形の発光面）を実現するためである。ただし、発光領域１３の形状は実質的に円形であれば八角形に限定されず、六角形、十角形などの偶数角を有する多角形としてもよいし、長軸半径と短軸半径の比率が１：１．２以下の楕円形としてもよい。なお、発光面を実質的に円形としないのでよければ、四角形や五角形などの奇数角を有する多角形の発光面とすることもできる。
【００１９】
平面である発光領域１３には、３０個の赤色ＬＥＤチップ２１と、３０個の緑色ＬＥＤチップ２２と、３０個の青色ＬＥＤチップ２３とが約２ｍｍのピッチでマトリクス状に配置されており、面状光源を構成している。ＬＥＤチップ２１〜２３は、例えば窒化ガリウム系（ＧａＮ、ＡｌＧａＮ、ＩｎＧａＮ）、リン化ガリウム系（ＧａＰ、ＧａＡｓＰ）、ヒ素化ガリウム系（ＧａＡｓ、ＡｌＧａＡｓ、ＡｌＧａＩｎＰ）、酸化亜鉛系（ＺｎＯ）の中から発光色に応じて選択される。赤色ＬＥＤチップ２１、緑色ＬＥＤチップ２２および青色ＬＥＤチップ２３の数は同数でなくともよく、最も個数の多い色と最も個数が少ない色の差が１〜３割または２割以下に収まる構成も本発明の技術思想の範囲に含まれる。
【００２０】
赤色ＬＥＤチップ２１は、ワイヤで直列接続された１０個の赤色ＬＥＤチップからなる３つの赤色単位モジュール（２１ａ〜２１ｃ）を備え、各赤色単位モジュールは、配線部１４で並列に接続されている。緑色ＬＥＤチップ２２は、ワイヤで直列接続された１０個の緑色ＬＥＤチップからなる３つの緑色単位モジュール（２２ａ〜２２ｃ）を備え、各緑色単位モジュールは、配線部１４で並列に接続されている。青色ＬＥＤチップ２３は、ワイヤで直列接続された１０個の青色ＬＥＤチップからなる３つの青色単位モジュール（２３ａ〜２３ｃ）を備え、各青色単位モジュールは、配線部１４で並列に接続されている。
【００２１】
第１実施形態では、発光領域１３の中心点に対し、点対称となるようにＬＥＤチップ２１〜２３が配置されている。かかる配置パターンにより、発光領域の全体的な色ムラの問題を解決することを可能としている。
また、発光領域１３の外縁に沿って配置された３色のＬＥＤチップが、同じ色が連続しないように配置されている。かかる配置パターンにより、発光領域の外縁に生じる色ムラ（すなわち、明暗の境界部の色ムラ）の問題を解決することを可能としている。
さらに、発明者が種々の配置パターンで試行錯誤した結果、青色ＬＥＤチップを連続隣接配置しても色ムラは生じにくい反面、赤色または緑色のＬＥＤチップを連続隣接配置すると色ムラの問題が生じることが判明した。そこで、第１実施形態では、赤色ＬＥＤチップ２１および緑色ＬＥＤチップ２２が連続隣接配置されないような配置パターンを採用している。例えば、赤色単位モジュールを構成する赤色ＬＥＤチップ２１ａ１および赤色ＬＥＤチップ２１ａ２の間には、青色ＬＥＤチップ２３ａ１および青色ＬＥＤチップ２３ａ２が配置されるようにしている。他方で、青色ＬＥＤチップ２３については、連続隣接配置しても色ムラが生じにくいことから、３つの青色単位モジュール（２３ａ〜２３ｃ）は青色ＬＥＤチップ２３を連続隣接配置することにより構成している。
【００２２】
配線部１４および微細配線部１７は、絶縁層１２の上面に形成した金属層（銅箔）の上にレジストを塗布し、パターンを露光および現像してさらにエッチングを行い、レジストを除去して形成された配線パターンである。配線部１４は、銅ペースト等の金属ペースト材料を印刷（スクリーン印刷或いはフレキソ印刷）またはディスペンサーにより塗布し、焼成することにより形成してもよい。
配線部１４の上面には、少なくとも表面に光反射性が付与されたダム材１８が形成され、ダム材１８の内側には透光性樹脂が充填される。ダム材１８は、製造時において封止樹脂の流動を防ぐもので、樹脂や金属材料などで構成する。
【００２３】
調色ＬＥＤ照明装置１０は、図示しない調色コントローラおよび電源装置に接続されており、３０個の赤色ＬＥＤチップ２１、３０個の緑色ＬＥＤチップ２２および３０個の青色ＬＥＤチップ２３に通電する電流値を制御することにより、所望の相関色温度を実現することが可能である。
図３は、５つのサンプルパターンで点灯した調色ＬＥＤ照明装置１０の写真と色座標を示す図である。サンプル１は３０個の赤色ＬＥＤチップ２１のみを点灯した場合の写真、サンプル２は３０個の緑色ＬＥＤチップ２２のみを点灯した場合の写真、サンプル３は３０個の青色ＬＥＤチップ２３のみを点灯した場合の写真、サンプル４は３０個の赤色ＬＥＤチップ２１と３０個の緑色ＬＥＤチップ２２を点灯した場合の写真、サンプル４は９０個のＬＥＤチップ２１〜２３を点灯した場合の写真である。図３右下に示す色座標は、調色ＬＥＤ照明装置１０が調色可能な範囲を示している。
【００２４】
図４は、第１実施形態に係る調色ＬＥＤ照明装置１０の変形例である。この変形例においても、発光領域１３の中心点に対し、点対称となるようにＬＥＤチップ２１〜２３が配置されており、かかる配置パターンにより、発光領域の全体的な色ムラの問題を解決することを可能としている。この変形例では、３０個の赤色ＬＥＤチップ２１、３０個の緑色ＬＥＤチップ２２および２０個の青色ＬＥＤチップ２３を用いて発光面を構成している。
なお、発光領域１３に配置するＬＥＤチップの個数は、例示の個数に限定されないが、光量の観点からは数十個以上のＬＥＤチップを配置することが好ましい。
【００２５】
図５は、第１実施形態に係るスポットライト照明装置３０の構成図である。
光源となる調色ＬＥＤ照明装置１０は、ヒートシンク３１の中心部に配置されている。光源筐体３４の側面に設けられた開口には調色ＬＥＤ照明装置１０からの照射光を絞る第１の集光レンズ３２が配設されている。集光レンズ３２は、例えば光源側がフロスト加工された集光レンズであり、集光レンズ３２の手前にある仮想焦点Ｆよりも集光レンズに近い位置に配置された調色ＬＥＤ照明装置１０からの照射光を拡大して被照射物に向けて照射する。
ヒートシンク３１は、位置調整機構３５に搭載されており、集光レンズ３２との距離を調整することが可能になっている。例えば位置調整機構３５により集光レンズ３２との距離を短くすれば広角配光が可能となり、位置調整機構３５により集光レンズ３２との距離を長くすれば狭角配光が可能となる。調色ＬＥＤ照明装置１０の照射光の色や強度等は、光源筐体３４の下方に配置された制御部３３により制御される。
【００２６】
第１実施形態のスポットライト照明装置３０では、調色ＬＥＤ照明装置１０の発光領域１３が拡大された被照射物に照射される。そのため、発光領域１３におけるＬＥＤチップの配置パターンを工夫しないと、被照射物への照射光がまばらな多色光になるという問題が生じる。この点、第１実施形態では、発光領域１３におけるＬＥＤチップを数ｍｍ以下の高密度実装とし、上述の配置パターンを採用することにより均一な多色光を照射できるように工夫している。
以上に説明した第１実施形態のスポットライト照明装置３０によれば、白熱電球を光源とする従来のスポットライト照明装置と同様の照射光を得ることができるので、舞台、スタジオ、展示会場、宴会場などの演出空間において有効に用いることができる。
【００２７】
［比較例２］
図６は、比較例２に係る調色ＬＥＤ照明装置１２０の構成図である。
比較例１に係る調色ＬＥＤ照明装置１２０は、基板１０１と、絶縁層１０２と、発光領域１０３と、配線部１０４と、アノード電極接続部１０５と、カソード電極接続部１０６と、ＬＥＤチップ１１１〜１１４とを備えている。
比較例１と同じ符号を付した構成要素については、比較例１と同一であるので説明を割愛する。白色ＬＥＤチップ１１４は、例えば青色ＬＥＤにより、黄色蛍光体または赤・緑色蛍光体を光らせることで白色光を発光するＬＥＤチップである
【００２８】
調色ＬＥＤ照明装置１２０は、図６の上下方向に延びる基板１０１の中心線に対し線対称となるようなＬＥＤチップの配置パターンを有している。かかる配置パターンによると、図６中「Ｒ」で示す赤色ＬＥＤチップ１１１が２個隣接する箇所、同図中「Ｇ」で示す緑色ＬＥＤチップ１１２が２個隣接する箇所ができるので、色ムラの問題が生じる。なお、同図中「Ｂ」で示すのは青色ＬＥＤチップである。また、発光領域１０３の外縁に沿って隣接配置された２個の緑色ＬＥＤチップ１１２が存在することから、スポット照明においては明暗の境界部の色ムラが目立つという問題がある。
【００２９】
［第２実施形態］
図７は、第２実施形態に係る調色ＬＥＤ照明装置４０の構成図である。
第２実施形態に係る調色ＬＥＤ照明装置４０は、基板１１と、絶縁層１２と、発光領域１３と、配線部１４と、アノード電極接続部１５と、カソード電極接続部１６と、微細配線部１７と、ダム材１８と、ＬＥＤチップ２１〜２４とを備えている。
第１実施形態と同じ符号を付した構成要素については、第１実施形態と同一であるので説明を割愛する。
図７において「Ｒ」で示すのは赤色ＬＥＤチップ２１、同図中「Ｇ」で示す緑色ＬＥＤチップ２２、同図中「Ｂ」で示すのは青色ＬＥＤチップ２３である。白色ＬＥＤチップ２４は、例えば青色ＬＥＤにより、黄色蛍光体または赤・緑色蛍光体を光らせることで白色光を発光する窒化ガリウム系ＬＥＤチップである。本発明にいう白色ＬＥＤチップ２４には、アンバー色または琥珀色の光を発光するＬＥＤチップも含まれる。
【００３０】
第２実施形態では、発光領域１３の中心点に対し、点対称となるように、２８個の赤色ＬＥＤチップ２１、２８個の緑色ＬＥＤチップ２２、２４個の青色ＬＥＤチップ２３および２４個の白色ＬＥＤチップ２４が配置されている。かかる配置パターンにより、発光領域の全体的な色ムラの問題を解決することを可能としている。
また、発光領域１３の外縁に沿って配置された４色のＬＥＤチップが、同じ色が連続しないように配置されている。かかる配置パターンにより、発光領域の外縁に生じる色ムラ（すなわち、明暗の境界部の色ムラ）の問題を解決することを可能としている。
さらに、第２実施形態では、同じ色のＬＥＤチップが連続隣接配置される場所がない（すなわち、青色ＬＥＤチップ２３が連続隣接配置される場所もない）ので、第１実施形態と比べ高いレベルで色ムラの問題を解消することが可能である。
【００３１】
第２実施形態の配置パターンは、左または右から数えた奇数列では白と青が交互に連続する配列となっており、偶数列では緑と赤が交互に連続する配列となっている。調色ＬＥＤ照明装置４０は、９０°転回して用いられることもあり、この場合は、上または下から数えた奇数行では白と青が交互に連続する配列となっており、偶数行では緑と赤が交互に連続する配列となる。
別の観点からは、発光領域１３の外縁から中心に向かって並ぶ複数の列において、隣接する行または列に配置されたＬＥＤチップの数を２個ずつ増やすような配置パターンとなっている。例えば、最も左の列に配置されたＬＥＤチップの数は４個、左から２番目の列に配置されたＬＥＤチップの数は６個、左から３番目の列に配置されたＬＥＤチップの数は８個、左から４番目の列に配置されたＬＥＤチップの数は１０個、左から５番目の列に配置されたＬＥＤチップの数は１２個である。
以上に説明した調色ＬＥＤ照明装置４０は、第１実施形態と同様、スポットライト照明装置３０の光源として用いることができる。
【００３２】
［第３実施形態］
図８は、第３実施形態に係る調色ＬＥＤ照明装置５０の構成図である。
第３実施形態に係る調色ＬＥＤ照明装置５０は、基板１１と、絶縁層１２と、発光領域１３と、配線部１４と、アノード電極接続部１５と、カソード電極接続部１６と、微細配線部１７と、ダム材１８と、ＬＥＤチップ２１〜２４とを備えている。
第１および第２実施形態と同じ符号を付した構成要素については、第１および第２実施形態と同一であるので説明を割愛する。
【００３３】
第３実施形態では、発光領域１３の中心点に対し、点対称となるように、２８個の赤色ＬＥＤチップ２１、２８個の緑色ＬＥＤチップ２２、２０個の青色ＬＥＤチップ２３および２０個の白色ＬＥＤチップ２４が配置されている。かかる配置パターンにより、発光領域の全体的な色ムラの問題を解決することを可能としている。
また、発光領域１３の外縁に沿って配置された４色のＬＥＤチップが、同じ色が連続しないように配置されている。かかる配置パターンにより、発光領域の外縁に生じる色ムラ（すなわち、明暗の境界部の色ムラ）の問題を解決することを可能としている。
さらに、第３実施形態では、第２実施形態と同様、同じ色のＬＥＤチップが連続隣接配置される場所もないので、第１実施形態と比べ高いレベルで色ムラの問題を解消することが可能である。
【００３４】
第３実施形態の配置パターンは、第２実施形態と同様、左または右から数えた奇数列では白と青が交互に連続する配列となっており、偶数列では緑と赤が交互に連続する配列となっている。
以上に説明した調色ＬＥＤ照明装置５０は、第１および第２実施形態と同様、スポットライト照明装置３０の光源として用いることができる。
【００３５】
［第４実施形態］
図９は、第４実施形態に係る調色ＬＥＤ照明装置６０の構成図である。
第４実施形態に係る調色ＬＥＤ照明装置６０は、基板１１と、絶縁層１２と、発光領域１３と、配線部１４と、アノード電極接続部１５と、カソード電極接続部１６と、微細配線部１７と、ダム材１８と、ＬＥＤチップ２１〜２４とを備えている。
第１ないし第３実施形態と同じ符号を付した構成要素については、第１ないし第３実施形態と同一であるので説明を割愛する。
【００３６】
第４実施形態では、発光領域１３の左右方向に延びる中心線に対し、線対称となるように、２６個の赤色ＬＥＤチップ２１、２６個の緑色ＬＥＤチップ２２、２６個の青色ＬＥＤチップ２３および２６個の白色ＬＥＤチップ２４が配置されている。かかる配置パターンにより、発光領域の全体的な色ムラの問題を解決することを可能としている。
また、発光領域１３の外縁に沿って配置された４色のＬＥＤチップが、同じ色が連続しないように配置されている。かかる配置パターンにより、発光領域の外縁に生じる色ムラ（すなわち、明暗の境界部の色ムラ）の問題を解決することを可能としている。
さらに、第４実施形態では、第２および第３実施形態と同様、同じ色のＬＥＤチップが連続隣接配置される場所がないので、第１実施形態と比べ高いレベルで色ムラの問題を解消することが可能である。
【００３７】
第４実施形態の配置パターンは、第２および第３実施形態と同様、左または右から数えた奇数列では白と青が交互に連続する配列となっており、偶数列では緑と赤が交互に連続する配列となっている。なお、第４実施形態の配置パターンでは、発光領域１３の中心にはＬＥＤチップが配置されない。
以上に説明した調色ＬＥＤ照明装置６０は、第１ないし第３実施形態と同様、スポットライト照明装置３０の光源として用いることができる。
【００３８】
［第５実施形態］
図１０は、第５実施形態に係る調色ＬＥＤ照明装置７０の構成図である。
第５実施形態に係る調色ＬＥＤ照明装置７０は、基板１１と、絶縁層１２と、発光領域１３と、配線部１４と、アノード電極接続部１５と、カソード電極接続部１６と、微細配線部１７と、ダム材１８と、ＬＥＤチップ２１〜２４とを備えている。
第１ないし第４実施形態と同じ符号を付した構成要素については、第１ないし第４実施形態と同一であるので説明を割愛する。
【００３９】
第５実施形態では、発光領域１３の左右方向に延びる中心線に対し、線対称となるように、２４個の赤色ＬＥＤチップ２１、２６個の緑色ＬＥＤチップ２２、２４個の青色ＬＥＤチップ２３および２６個の白色ＬＥＤチップ２４が配置されている。かかる配置パターンにより、発光領域の全体的な色ムラの問題を解決することを可能としている。
また、発光領域１３の外縁に沿って配置された４色のＬＥＤチップが、同じ色が連続しないように配置されている。かかる配置パターンにより、発光領域の外縁に生じる色ムラ（すなわち、明暗の境界部の色ムラ）の問題を解決することを可能としている。
さらに、第５実施形態では、第２ないし第４実施形態と同様、同じ色のＬＥＤチップが連続隣接配置される場所がないので、第１実施形態と比べ高いレベルで色ムラの問題を解消することが可能である。
【００４０】
第５実施形態の配置パターンは、第２ないし第４実施形態と同様、左または右から数えた奇数列では白と青が交互に連続する配列となっており、偶数列では緑と赤が交互に連続する配列となっている。なお、第５実施形態の配置パターンでは、発光領域１３の中心にはＬＥＤチップが配置されない。
以上に説明した調色ＬＥＤ照明装置７０は、第１ないし第４実施形態と同様、スポットライト照明装置３０の光源として用いることができる。
【符号の説明】
【００４１】
１０  調色ＬＥＤ照明装置（第１実施形態）
１１  基板
１２  絶縁層
１３  発光領域（発光面）
１４  配線部
１５  アノード電極接続部
１６  カソード電極接続部
１７  微細配線部
１８  ダム材
２１  赤色ＬＥＤチップ
２２  緑色ＬＥＤチップ
２３  青色ＬＥＤチップ
２４  白色ＬＥＤチップ
３０  スポットライト照明装置
３１  ヒートシンク
３２  集光レンズ
３３  制御部
３４  光源筐体
３５  位置調整機構
４０  調色ＬＥＤ照明装置（第２実施形態）
５０  調色ＬＥＤ照明装置（第３実施形態）
６０  調色ＬＥＤ照明装置（第４実施形態）
７０  調色ＬＥＤ照明装置（第５実施形態）
１００  調色ＬＥＤ照明装置（比較例１）
１０１  基板
１０２  絶縁層
１０３  発光領域
１０４  配線部
１０５  アノード電極接続部
１０６  カソード電極接続部
１０７  ダム材
１１１  赤色ＬＥＤチップ
１１２  緑色ＬＥＤチップ
１１３  青色ＬＥＤチップ
１１４  白色ＬＥＤチップ
１２０  調色ＬＥＤ照明装置（比較例２）
【図１】
2019102396.tif 000003
【図２】
2019102396.tif 000004
【図３】
2019102396.tif 000005
【図４】
2019102396.tif 000006
【図５】
2019102396.tif 000007
【図６】
2019102396.tif 000008
【図７】
2019102396.tif 000009
【図８】
2019102396.tif 000010
【図９】
2019102396.tif 000011
【図１０】
2019102396.tif 000012